(57)【要約】      （修正有）【課題】帯電クリーナーの埃等を効率良く除去し、且つ使用しない時には帯電クリーナーの収納具として使用でき、また、使用時には静電的作用を付与することのできる多機能な帯電クリーナー用除埃具を提供する。【解決手段】帯電クリーナーの吸着部に付着した埃等を効率良く除去できる吸込口を設置し、使用しない時は帯電クリーナーの収納具として活用できる形状であり、使用時には静電的作用を付与できるような素材をカバーとする。【選択図】図１
2012232059.tif 000002
【特許請求の範囲】
【請求項１】
吸込口を備えた筒状体と、排気口と電源スイッチとダストボックスを備えた台と、帯電クリーナーが挿入可能なカバーを備えた帯電クリーナー用除埃器。
【請求項２】
挿入可能なカバーが、帯電クリーナーに対して静電的作用を付加できる素材でできていることを特徴とする請求項１に記載の帯電クリーナー用除埃器。
【発明の詳細な説明】
【技術分野】
【０００１】
本発明は、帯電クリーナーの埃等を効率良く除去し、且つ使用しない時には帯電クリーナーの収納具として使用でき、また、使用時には静電的作用を付与することのできる多機能な帯電クリーナー用除埃具に関するものである。
【背景技術】
【０００２】
帯電クリーナーとは、静電気により埃等を吸着・除去する掃除用具である。従来では埃等を吸着した帯電クリーナーをきれいにするために、屋外で埃等を振り落とす、あるいは電気掃除機等を用いて埃等を除去していた。
【０００３】
また、埃等を除去した後、暫く放置することで静電作用が損なわれ、使用前には掃除機で吸う等何らかの方法を用いて静電気を発生させる必要があった。
【０００４】
特許文献１では掃除機等による吸引で埃等除去するが、静電気クリーナーの除埃後、静電気クリーナーを別に収納する必要があった。また、静電気クリーナーを使用する際には、外部的手段を用いて再び静電気を起こす必要があった。
【０００５】
特許文献２では、モップに付着した塵を除去し、除塵後のモップを収納することも可能ではあるが、静電的作用を有する機能はもっていない。
【先行技術文献】
【特許文献】
【０００６】
【特許文献１】特開２００７−３０７３３５号公報
【特許文献２】特許第４５９２４４０号
【発明の概要】
【発明が解決しようとする課題】
【０００７】
本発明は、帯電クリーナーの埃等を効率良く除去し、且つ使用しない時には帯電クリーナーの収納具として使用でき、また、使用時には静電的作用を付与することのできる多機能な帯電クリーナー用除埃具を提供することを目的としている。
【課題を解決するための手段】
【０００８】
本発明の帯電クリーナー除埃器は、ケース１と、吸込口を備えた筒状体２と、筒状体２の径よりも大きいカバー３と、排気口４a及び電源スイッチ４ｂ、ダストボックス４ｃを備えた台４より構成される。
【０００９】
吸着部５ａに付着した埃等は、帯電クリーナー５を筒状体２に挿入し、電源スイッチ４ｂをＯＮにすることで、筒状体２の吸込口から吸込まれることでダストボックス４ｃに埃等を収集することができる。
【００１０】
電源スイッチ４ｂはＯＮ−ＯＦＦ切り替え機能があればよく、その形状を指定しない。
【００１１】
帯電クリーナー５使用時には、帯電クリーナー５を引き抜くことで、カバー３により吸着部５ａに対して静電的作用を付与することが出来る。
静電的作用をより多く付与する目的で切り込み部３ａを設けてあるが、切り込み本数に制限はない。また、1枚のカバー３にスリット状に切り込みを入れても、繊維状の素材を集めて同形状とし、カバーとした場合においてもその性能に差異は生じない。
【００１２】
挿入口３ｂについては、帯電クリーナー５を挿入しやすくする目的で設けたが、実際には帯電クリーナー５を筒状体２に挿入可能にすればよく、開口している必要は特にない。
【００１３】
筒状体２に設けた吸込口の形状はスリット状、孔状、メッシュ状等その形状を特定するものではない。
【００１４】
筒状体２には、側面、底面、上面の内、１つの面以上について吸込口を設けたことを特徴とするが、底面方向には吸込口を設けた方が好ましい。また、各面において全面に吸込口を設ける必要はなく、部分的に吸込口を設けても良い。
【００１５】
また、面の設置については全ての面を設置する必要はなく、本発明の機能を損なわないように設置するものとする。
【発明の効果】
【００１６】
本発明の帯電クリーナー用除埃器を使用することにより、帯電クリーナーに付着した埃等を効率良く除去するだけではなく、帯電クリーナーの保管場所を確保するとともに、引き抜くだけで直ぐに帯電クリーナーによる掃除を行うことが可能になる。
【図面の簡単な説明】
【００１７】
【図１】図１は縦型の帯電クリーナー用除埃器を示した説明図である。（実施例１）
【図２】図２は横型の帯電クリーナー用除埃器を示した説明図である。（実施例２）
【発明を実施するための形態】
【００１８】
以下、本発明の実施形態について説明する。
【実施例１】
【００１９】
図１は縦型の帯電クリーナー用除埃器である。縦型帯電クリーナー用除埃器は、ケース１と、側面吸込口２ａと底面吸込口２ｂと上面吸込口２ｃを備えた筒状体２と、切り込み部３ａ及び挿入口３ｂを設けたカバー３と、排気口４a及び電源スイッチ４ｂ、ダストボックス４ｃを備えた台４より構成される。
【００２０】
吸着部５ａに付着した埃等は、帯電クリーナー５を挿入口３ｂに入れ、電源スイッチ４ｂをＯＮにすることで、筒状体２の吸込口から吸込まれることでダストボックス４ｃに収集することができる。
【００２１】
立ったままの姿勢で縦型帯電クリーナー用除埃器を使用するため、電源スイッチ４ｂは足踏み型のものを採用し、踏むとＯＮ、離すとＯＦＦになるようにした。
【００２２】
帯電クリーナー５使用時には、帯電クリーナー５を引き抜くことで、カバー３により吸着部５ａに対して静電的作用を付与することが出来る。そこで、縦型帯電クリーナー用除埃器では、8本のスリットを付けて切り込み部３ａとし、静電的作用を向上させた。
【００２３】
縦型帯電クリーナー用除埃器では、帯電クリーナー５を挿入しやすくする目的で挿入口３ｂを設けた。
【００２４】
縦型帯電クリーナー用除埃器では、筒状体２に側面吸込口２ａ（スリット状）、底面吸込口２ｂ（孔状）、上面吸込口２ｃ（メッシュ状）を設けた。
【００２５】
縦型帯電クリーナー用除埃器の上面吸込口２ｃには挿入口３ｂよりも径の大きい開口部２ｄを設け、帯電クリーナー５を速やかに筒状体２の中に誘導できるものとした。
【実施例２】
【００２６】
図２は横型の帯電クリーナー用除埃器である。横型帯電クリーナー用除埃器は、ケース１と、側面吸込口２ａと底面吸込口２ｂと底面吸込口２ｃを備えた筒状体２と、筒状体２の径よりも大きいカバー３と、排気口４a及び電源スイッチ４ｂ、ダストボックス４ｃを備えた台４より構成される。
【００２７】
吸着部５ａに付着した埃等は、帯電クリーナー５をカバー３の中心部に向かってに挿入し、電源スイッチ４ｂをＯＮにすることで、筒状体２の吸込口から吸込まれてダストボックス４ｃに収集することができる。
【００２８】
電源スイッチ４ｂはＯＮ−ＯＦＦの切り替えスイッチとし、操作し易いようにカバー３の設置面と同じ方向に設置した。
【００２９】
ダストボックス４ｃは集めた埃等を取り除くのに便利なように、引き出し方向をカバー３の設置面と同じ方向になるようにした。
【００３０】
横型帯電クリーナー用除埃器に設置したカバー３は、繊維状の素材を中心部に向かって集めてカバーとし、吸着部５ａに対して静電的作用を付与することが出来る素材で構成した。
【００３１】
また、横型帯電クリーナー用除埃器には挿入口３ｂを設けず、中心部を押して挿入することとした。
【００３２】
筒状体２には、側面吸込口２ａ（孔状）、底面吸込口２ｂ（孔状）、上面吸込口２ｃ（スリット状）の吸込口を設けた。
【００３３】
横型帯電クリーナー用除埃器には、カバー３を設置した面には側面を設置しなかったが、本発明の機能に特段の差異は生じなかった。
【産業上の利用可能性】
【００３４】
本発明の帯電クリーナー用除埃器を使用することにより、帯電クリーナーに付着した埃等を効率良く除去するだけではなく、帯電クリーナーの保管場所を確保するとともに、引き抜くだけで直ぐに帯電クリーナーによる掃除を行うことが可能になる。
【符号の説明】
【００３５】
１    ケース
２    筒状体
２ａ  側面吸込口
２ｂ  底面吸込口
２ｃ  上面吸込口
２ｄ  開口部
３    カバー
３ａ  切り込み部
３ｂ  挿入口
４    台
４ａ  排気口
４ｂ  電源スイッチ
４ｃ  ダストボックス
５    帯電クリーナー
５ａ  吸着部
【図１】
2012232059.tif 000003
【図２】
2012232059.tif 000004